(57)【要約】【課題】段ボールシートが搬送ラインから連続的に搬送されて１ヶ所に積載される際に端部の位置を揃えて整頓することが可能な段ボールシートの積載装置を提供する。【解決手段】スタッカ１は、段ボールシートＳ，Ｓ・・を積層状に載置可能な平板状の載置台１１と、その載置台１１を昇降させるための昇降機構８と、段ボールシートＳ，Ｓ・・の搬送方向に沿って往復動することによって、載置台１１上に載置された複数の段ボールシートＳ，Ｓ・・の前方および後方の端縁を外側から押圧可能な前後方向押圧部材７，７および堰き止めプレート６と、段ボールシートＳ，Ｓ・・の搬送方向に対して垂直な水平軸に沿って往復動することによって、載置台１１上に載置された複数の段ボールシートＳ，Ｓ・・の左右の端縁を外側から押圧可能な左右一対の横方向押圧部材５ａ，５ｂおよび横方向押圧部材１５ａ，１５ｂとが設けらている。【選択図】図１
2019199312.tif 000002
【特許請求の範囲】
【請求項１】
連続的に搬送される段ボールシートを所定の枚数だけ積層して搬出する段ボールシート用のスタッカであって、
段ボールシートを積層状に載置可能な水平板状の載置台と、
その載置台を昇降させるための昇降機構と、
段ボールシートの搬送方向に対して垂直な水平軸に沿って往復動することによって、載置台上に載置された少なくとも２枚以上の段ボールシートの左右の端縁を外側から押圧可能な左右一対の横方向押圧部材とが設けられていることを特徴とする段ボールシート用スタッカ。
【請求項２】
段ボールシートの搬送方向に沿って往復動することによって、載置台上に載置された少なくとも２枚以上の段ボールシートの前方および／または後方の端縁を外側から押圧可能な１つあるいは前後一対の前後方向押圧部材が設けられていることを特徴とする請求項１に記載の段ボールシート用スタッカ。
【請求項３】
前記横方向押圧部材が、段ボールシートの搬送方向の上流側と下流側との２カ所に、それぞれ１組ずつ設けられていることを特徴とする請求項１、または請求項２に記載の段ボールシート用スタッカ。
【請求項４】
前記前後方向押圧部材および前記横方向押圧部材が、垂下状に設けられていることを特徴とする請求項１〜３のいずれかに記載の段ボールシート用スタッカ。
【請求項５】
前記前後方向押圧部材および前記横方向押圧部材の底面が合成樹脂によって形成されていることを特徴とする請求項１〜４のいずれかに記載の段ボールシート用スタッカ。
【発明の詳細な説明】
【技術分野】
【０００１】
本発明は、段ボールシートの製造工程において、搬送ラインから連続的に搬送される段ボールシートを１ケ所に積載する際に、段ボールシートの端部の位置を揃えて綺麗に整頓することが可能な段ボールシート用スタッカに関するものである。
【背景技術】
【０００２】
段ボールシート製造機は、波状に段形成した中芯紙にライナー紙を片面または両面に貼着して連続した段ボールシートを形成し、その長尺状の段ボールシートを、先端側から所望の長さずつに切断した後に、搬送コンベア等により連続的に搬送し、載置台上に積載させる。そして、積載された段ボールシートを、所定枚数ずつ纏めて搬出コンベア等にて次工程に搬送する。
【０００３】
ところが、従来の段ボールシート製造機では、段ボールシートが端部を揃えていない状態で乱雑に積載されてしまうことが多く、そのため、積載された段ボールシートの端部を作業者が手作業によって揃える等の必要があり、作業効率が悪かった。
【０００４】
そのように段ボールシートが乱雑に積載されてしまう事態を解消するための装置として、特許文献１の如く、積層された段ボールシートの片端縁の下部を支えた状態で水平方向に進退する第一鉛直プレート（Ｌ字型プレート）と、その第一鉛直プレートと対向しており積層された段ボールシートの他端縁に当接する第二鉛直プレートとを備えた搬送装置（移送ハンド）が知られている。
【先行技術文献】
【特許文献】
【０００５】
【特許文献１】特開平１０−２７９０６６号公報
【発明の概要】
【発明が解決しようとする課題】
【０００６】
しかしながら、特許文献１の搬送装置（移送ハンド）は、積層された段ボールシートの四方の端縁を揃えるためには、積層された段ボールシートを上昇させた後に、回転させてから下降させる必要があるため、構造が複雑で安価に構築することができない上、積層から搬出までに多くの時間を要してしまう。
【０００７】
本発明の目的は、搬送ラインから連続的に搬送される段ボールシートを所定枚数だけ１ヶ所に積載する際に、搬送速度を落とすことなく、乱雑に積載されてしまう事態を防止して、段ボールシートの端部の位置を揃えて整頓することが可能である上、安価に構築することができる段ボールシートの積載装置（スタッカ）を提供することにある。
【課題を解決するための手段】
【０００８】
本発明の内、請求項１に記載された発明は、連続的に搬送される段ボールシートを所定の枚数だけ積層して搬出する段ボールシート用のスタッカであって、段ボールシートを積層状に載置可能な水平板状の載置台と、その載置台を昇降させるための昇降機構と、段ボールシートの搬送方向に対して垂直な水平軸に沿って往復動することによって、載置台上に載置された少なくとも２枚以上の段ボールシートの左右の端縁を外側から押圧可能な左右一対の横方向押圧部材とが設けられていることを特徴とするものである。なお、本発明の段ボールシートには、断面波状に成形した中芯紙の両面に厚紙を貼り合わせた所謂、両面シートのみならず、断面波状に成形した中芯紙の片面に厚紙を貼り合わせた所謂、片面シートも含まれる。
【０００９】
請求項２に記載された発明は、請求項１において、段ボールシートの搬送方向に沿って往復動することによって、載置台上に載置された少なくとも２枚以上の段ボールシートの前方および／または後方の端縁を外側から押圧可能な１つあるいは前後一対の前後方向押圧部材が設けられていることを特徴とするものである。
【００１０】
請求項３に記載された発明は、請求項１または請求項２に記載された発明において、前記横方向押圧部材が、段ボールシートの搬送方向の上流側と下流側との２カ所に、それぞれ１組ずつ設けられていることを特徴とするものである。
【００１１】
請求項４に記載された発明は、請求項１〜３のいずれかに記載された発明において、前記前後方向押圧部材および前記横方向押圧部材が、垂下状に設けられていることを特徴とするものである。
【００１２】
請求項５に記載された発明は、請求項１〜４のいずれかに記載された発明において、前記前後方向押圧部材および前記横方向押圧部材の底面が合成樹脂によって形成されていることを特徴とするものである。
【発明の効果】
【００１３】
請求項１に係る段ボールシート用スタッカは、次々と連続的に積載される段ボールシートの横方向のズレを左右の側方から横方向押圧部材が修正することによって、高い搬送速度を保ったままで、段ボールシートの側端縁の位置を揃えて、綺麗に積層させることができる。なお、段ボールシートの横方向とは、段ボールシートが流れる方向と垂直な方向である。
【００１４】
請求項２に係る段ボールシート用スタッカは、次々と連続的に積載される段ボールシートの縦方向のズレを前後方向押圧部材が修正することによって、高い搬送速度を保ったままで、段ボールシートの縦方向の端縁の位置を揃えて、一段と綺麗に積層させることができる。なお、段ボールシートの縦方向とは、段ボールシートが流れる方向と平行な方向である。
【００１５】
請求項３に係る段ボールシート用スタッカは、横方向押圧部材が段ボールシートの搬送方向の上流側および下流側の２カ所に、それぞれ１組ずつ設けられているため、積層される段ボールシートの横方向（幅方向）のズレを効率的に揃えることができる。
【００１６】
請求項４に係る段ボールシート用スタッカは、前後方向押圧部材および横方向押圧部材が垂下状に設けられているため、設計上、それらの前後方向押圧部材および横方向押圧部材の先端（下端）を載置台（コンベア）の表面に近づけやすいので、段ボールシートを積み始める際（所定数の段ボールシートを搬出した後に新たに積み始める場合を含む）のズレを効率的に揃えることが可能である。
【００１７】
請求項５に係る段ボールシート用スタッカは、前後方向押圧部材および横方向押圧部材の底面が合成樹脂によって形成されているため、段ボールシートを積み始める際（所定数の段ボールシートを搬出した後に新たに積み始める場合を含む）に、前後方向押圧部材あるいは横方向押圧部材の底面が載置台（コンベア）の表面に接触した場合でも、当該載置台の表面が損傷しにくい。
【図面の簡単な説明】
【００１８】
【図１】段ボールシート用スタッカを示す説明図（右側面図）である。
【図２】前方支持体を拡大して示す説明図（右側面図）である。
【図３】後方支持体を拡大して示す説明図（右側面図）である（ｂは横方向押圧部材の拡大図であり、ｃは前後方向押圧部材の拡大図である）。
【図４】後方支持体の設置部位を後方から見た状態（図１におけるＡ方向から見た状態）を示す説明図である。
【発明を実施するための形態】
【００１９】
＜段ボールシート用スタッカの構造＞
以下、本発明に係る段ボールシート用スタッカ（以下、単にスタッカという）の一実施形態について、図面に基づいて詳細に説明する。図１は、スタッカの右側面を示したものである。スタッカ１は、段ボールシートＳ，Ｓ・・の搬送装置（ベルトコンベア）４０の先端に設置されており、２本のレール状基軸４ａ，４ｂを左右平行に設けた門型フレーム１２と、各レール状基軸４ａ，４ｂの下流側に垂下状に設置された前方支持体３ａ，３ｂと、各レール状基軸４ａ，４ｂの上流側に垂下状に設置された後方支持体２ａ，２ｂと、段ボールシートを積層状に載置可能な平板状の載置台１１等によって構成されている。
【００２０】
門型フレーム１２は、前後・左右にそれぞれ等間隔になるように４本の支柱１３，１３・・が鉛直に設けられており、左右において、それぞれ、前後の支柱１３，１３に跨がるように、レール状基軸４ａ，４ｂが懸架されている。さらに、左側のレール状基軸４ａには、平板状の後方支持体２ａと、同様に平板状の前方支持体３ａとが、レール状基軸４ａの長手方向に沿って移動可能に固着されている。一方、右側のレール状基軸４ｂには、平板状の後方支持体２ｂと、同様に平板状の前方支持体３ｂとが、レール状基軸４ｂの長手方向に沿って移動可能に固着されている。
【００２１】
また、図２は、右側の前方支持体３ｂの設置部位を拡大して示したものであり、左側の前方支持体３ａと、右側の前方支持体３ｂとの間には、平板状の前方平板状フレーム３１が、板面を鉛直にした状態で水平に懸架されている。一方、図３は、右側の後方支持体２ｂの設置部位を拡大して示したものであり、左側の後方支持体２ａと、右側の後方支持体２ｂとの間には、平板状の後方平板状フレーム３２が、盤面を鉛直にした状態で水平に懸架されている。また、左側の後方支持体２ａの下端際と、右側の後方支持体２ｂの下端際との間には、長尺な四角柱状の後方支持フレーム３４が水平に懸架されている。
【００２２】
一方、図４は、左側の後方支持体２ａと右側の後方支持体２ｂとの間に懸架された後方平板状フレーム３２を示したものであり、後方平板状フレーム３２には、積層された段ボールシートの横方向（左右方向）のズレを直すための横方向押圧部材１５ａ，１５ｂが、後方平板状フレーム３２に取り付けられたボールネジ機構３３によって、左右に移動可能に固着されている。なお、横方向押圧部材１５ａ，１５ｂは、左右対称な構造・形状を有しており、同一の機能を奏するものである。一方、前方平板状フレーム３１にも、後方平板状フレーム３２に装着されているものと同一の構造を有する横方向押圧部材５ａ，５ｂが、前方平板状フレーム３１に取り付けられたボールネジ機構３３によって、左右に移動可能に固着されている。
【００２３】
後方平板状フレーム３２に装着された左右一対の横方向押圧部材１５ａ，１５ｂ、および、前方平板状フレーム３１に装着された左右一対の横方向押圧部材５ａ，５ｂは、後方平板状フレーム３２あるいは前方平板状フレーム３１に固着するための支持体２０、駆動装置を内蔵した作動ボックス２１、棒状の高さ調節アーム２２、扁平な直方体状の把持体２３、垂直面を有する合成樹脂（ナイロン樹脂）製の押圧体２４、その押圧体２４と一体になった支持アーム２５等によって構成されている。そして、把持体２３に内蔵されたソレノイド機構（図示せず）によって、押圧体２４が支持アーム２５と一体になって把持体２３に対して出没自在（すなわち、横方向にスライド自在）になっている。また、把持体が高さ調節アーム２２と一体になって作動ボックス２１に対して出没（すなわち、上下方向にスライド）することによって、把持体２３の高さ位置を調節することができるようになっている。
【００２４】
一方、左側の後方支持体２ａの下端際と右側の後方支持体２ｂの下端際との間に懸架された後方支持フレーム３４の左右には、積層された段ボールシートＳ，Ｓ・・の前後方向（段ボールシートＳ，Ｓ・・の流れ方向）のズレを直すための前後方向押圧部材７ａ，７ｂが、後方支持フレーム３４の長手方向に沿って移動可能に固着されており、それぞれ、横方向押圧部材５ａ，５ｂの内側（左右方向における内側）において中央（左右方向における中央）から等しい距離になるように設置されている。
【００２５】
それらの前後方向押圧部材７ａ，７ｂは、ソレノイド（図示せず）を収納した略直方体状の作動ボックス４１、垂直面（スライド方向に対して垂直な面）を有する合成樹脂（ナイロン樹脂）製の押圧体４２、先端に押圧体４２を固着させ基端をソレノイドに固着させた略棒状の支持アーム４３等によって構成されている。そして、各前後方向押圧部材７ａ，７ｂは、基端の作動ボックス４１を後方支持フレーム３４に固着させた状態で、支持アーム４３を後方支持フレーム３４と直交するように前方へ突出させた状態になっている。そして、作動ボックス４１内のソレノイドによって、押圧体４２が支持アーム４３と一体になって作動ボックス４１に対して出没自在（すなわち、長手方向にスライド自在）になっている。
【００２６】
さらに、図３の如く、左側の後方支持体２ａと右側の後方支持体２ｂとに跨がるように、搬送装置４０で搬送される段ボールシートＳ，Ｓ・・を下方へ押圧するための一定幅の合成樹脂製プレートである搬送制御部材１０が設置されており、上端縁を中心に回動可能になっている。また、搬送装置４０で搬送される段ボールシートＳ，Ｓ・・の先端を下へ向けるための荷重ロール１７が、リンク部材１８，１８によって、左側の後方支持体２ａと右側の後方支持体２ｂとに跨がった状態で回転可能に取り付けられている。なお、右側の後方支持体２ａと左側の後方支持体２ｂとは左右対称の構造を有している。
【００２７】
一方、図２の如く、右側の前方支持体３ａと左側の前方支持体３ｂとに跨がるように、積層された段ボールシートＳ，Ｓ・・の前後方向のズレを直すための前後方向押圧部材の一部として機能する金属製（アルミニウム製）で一定幅の堰き止めプレート８が設置されている。なお、右側の前方支持体３ａと左側の前方支持体３ｂとは左右対称の構造を有している。
【００２８】
また、図１の如く、左右の前方支持体３ａ，３ｂと後方支持体２ａ，２ｂとの間には、段ボールシートを積層するための載置台１１が設置されている。当該載置台１１は、駆動装置であるモータ（図示せず）およびスプロケット・チェーンを利用した昇降機構８によって、段ボールシートＳ，Ｓ・・の搬送速度に合わせて、積層された段ボールシートＳ，Ｓ・・の上面（一番上に載置された段ボールシートＳの表面）の位置が変化しないように降下させることができるようになっている。また、所定枚数の段ボールシートＳ，Ｓ・・を積層した後には、載置台１１に設けられた搬出装置（ベルトコンベア）３０によって所定枚数の段ボールシートＳ，Ｓ・・を左右方向（図１における紙面と垂直な方向）に搬出し、搬出後には、最初の高さまで上昇させることができるようになっている。
【００２９】
＜スタッカの作動内容＞
以下、スタッカ１の作動内容について説明する。スタッカ１は、搬送装置（ベルトコンベア）４０によって後方から前方へ（図１における右側から左側へ）連続的に搬送される段ボールシートＳ，Ｓ・・を、予め設定された所定の枚数だけ載置台１１上に積層し、積層した後には、その所定枚数の段ボールシートＳ，Ｓ・・を、右方向へ（図１における紙面の奥から手前へ）搬出する。また、そのように所定枚数の段ボールシートＳ，Ｓ・・を積層する際に、横方向押圧部材５ａ，５ｂ、横方向押圧部材１５ａ，１５ｂおよび前後方向押圧部材７ａ，７ｂを作動させて、段ボールシートＳ，Ｓ・・の位置ズレ（端縁のズレ）を修正する。
【００３０】
上記の如く、段ボールシートＳ，Ｓ・・の積載作業を行う前には、積載する段ボールシートＳ，Ｓ・・の前後方向の長さに合わせて、前方支持体３ａ，３ｂをレール状基軸４ａ，４ｂに沿って移動させて、横方向押圧部材５ａ，５ｂおよび堰き止めプレート６の前後位置を調整する（すなわち、図１の如く、横方向押圧部材５ａ，５ｂが段ボールシートＳの前端より後側に位置し、後方へ退入した前後方向押圧部材７ａ，７ｂと堰き止めプレート６との長さが段ボールシートＳ，Ｓ・・の長さより長くなり、前方へ突出した前後方向押圧部材７ａ，７ｂが段ボールシートＳ，Ｓ・・の後端縁に接触するように調整する）。
【００３１】
また、積載する段ボールシートＳ，Ｓ・・の幅方向の長さに合わせて、横方向押圧部材５ａ，５ｂおよび横方向押圧部材１５ａ，１５ｂを、それぞれ、前方平板状フレーム３１、後方平板状フレーム３２に沿って移動させて、横方向押圧部材５ａ，５ｂおよび横方向押圧部材１５ａ，１５ｂの左右位置を調整する（すなわち、図４の如く、左右の横方向押圧部材５ａ，５ｂの間隔および横方向押圧部材１５ａ，１５ｂの間隔が段ボールシートＳ，Ｓ・・の幅より長くなり、前方へ突出した左右の横方向押圧部材５ａ，５ｂおよび横方向押圧部材１５ａ，１５ｂが段ボールシートＳ，Ｓ・・の側端縁に接触するように調整する）。さらに、積載する段ボールシートＳ，Ｓ・・の幅方向の長さに合わせて、前後方向押圧部材７ａ，７ｂを、それぞれ、後方支持フレーム３４に沿って移動させて、前後方向押圧部材７ａ，７ｂの左右位置を調整する（すなわち、前後方向押圧部材７ａ，７ｂが段ボールシートＳ，Ｓ・・の側端縁よりも内側に位置するように調整する）。
【００３２】
そして、上記の如く、横方向押圧部材５ａ，５ｂ、横方向押圧部材１５ａ，１５ｂおよび前後方向押圧部材７ａ，７ｂを位置決めした状態で、搬送装置４０によって段ボールシートＳ，Ｓ・・が載置台１１上に搬送されると、それらの段ボールシートＳ，Ｓ・・の先端は、堰き止めプレート６によって堰き止められる。そして、次第に積層される段ボールシートＳ，Ｓ・・の後端縁が、前後方向押圧部材７ａ，７ｂによって揃えられる。すなわち、前後方向押圧部材７ａ，７ｂは、作動ボックス４１内のソレノイド（図示せず）を利用して、所定の周期（約０．５秒間隔）で、垂直面を有する押圧体４２を前後動させることによって、数枚（約５〜６枚）の段ボールシートＳ，Ｓ・・の後端縁の位置ズレを修正する。なお、搬送装置４０によって段ボールシートＳ，Ｓ・・が載置台１１上に搬送される際には、後方支持体２の荷重ロール１７および搬送制御部材１０によって段ボールシートＳ，Ｓ・・が下向きに付勢されて、大きく左右にズレる事態が防止される。
【００３３】
また、上記の如く、搬送装置４０によって段ボールシートＳ，Ｓ・・が載置台１１上に搬送されると、次第に積層される段ボールシートＳ，Ｓ・・の側端縁が、前後に位置した横方向押圧部材５ａ，５ｂおよび横方向押圧部材１５ａ，１５ｂによって揃えられる。すなわち、横方向押圧部材５ａ，５ｂおよび横方向押圧部材１５ａ，１５ｂは、把持体２３内のソレノイド（図示せず）を利用して、所定のタイミング（約０．５秒間隔）で、垂直面を有する押圧体２４を前後動させることによって、数枚（約５〜６枚）の段ボールシートＳ，Ｓ・・の側端縁の位置ズレを修正する。
【００３４】
上記の如く、前後方向押圧部材７ａ，７ｂ、横方向押圧部材５ａ，５ｂおよび横方向押圧部材１５ａ，１５ｂによって、段ボールシートＳ，Ｓ・・の前後の端縁および側端縁が揃えられるが、前後方向押圧部材７ａ，７ｂによる段ボールシートＳ，Ｓ・・の前後の端縁を揃える動作と、横方向押圧部材５ａ，５ｂおよび横方向押圧部材１５ａ，１５ｂによる段ボールシートＳ，Ｓ・・の側端縁を揃える動作とは、同じ周期で同時に並行して行われるものの、動作のタイミングが異なっている。すなわち、前後方向押圧部材７ａ，７ｂの押圧体４２が後方へ退出した時点で、横方向押圧部材５ａ，５ｂおよび横方向押圧部材１５ａ，１５ｂが内側（左右方向における内側）へ突出し、前後方向押圧部材７ａ，７ｂの押圧体４２が前方へ突出した時点で、横方向押圧部材５ａ，５ｂおよび横方向押圧部材１５ａ，１５ｂが外側（左右方向における外側）へ退入するようになっている。なお、かかる前後方向押圧部材７ａ，７ｂによる段ボールシートＳ，Ｓ・・の前後の端縁を揃える動作、および、横方向押圧部材５ａ，５ｂおよび横方向押圧部材１５ａ，１５ｂによる段ボールシートＳ，Ｓ・・の側端縁を揃える動作の内容（タイミングおよび周期）は、図示しない制御装置によって制御される。
【００３５】
また、載置台１１は、上面に段ボールシートＳ，Ｓ・・が積み重ねられると、昇降機構８によって、積層された段ボールシートＳ，Ｓ・・の上面（一番上に載置された段ボールシートＳの表面）の位置を変化させないように徐々に降下する。そして、前後の端縁および側端縁が揃えられた段ボールシートＳ，Ｓ・・が、予め設定された所定の枚数だけ載置台１１上に積層されると、搬出装置３０を利用して、その所定枚数の段ボールシートＳ，Ｓ・・を右方向（図１における紙面の手前側）に搬出する。そして、搬出された段ボールシートＳ，Ｓ・・は、次工程へと搬送される。
【００３６】
＜段ボールシート用スタッカの効果＞
スタッカ１は、上記の如く、段ボールシートＳ，Ｓ・・を積層状に載置可能な平板状の載置台１１と、その載置台１１を昇降させるための昇降機構８と、段ボールシートＳ，Ｓ・・の搬送方向に対して垂直な水平軸に沿って往復動することによって、載置台１１上に載置された複数の段ボールシートＳ，Ｓ・・の左右の端縁を外側から押圧可能な左右一対の横方向押圧部材５ａ，５ｂおよび横方向押圧部材１５ａ，１５ｂとが設けられたものである。したがって、スタッカ１によれば、高い搬送速度を保ったままで、次々と連続的に積載される段ボールシートＳ，Ｓ・・の横方向のズレを修正することによって、段ボールシートＳ，Ｓ・・の側端縁の位置を揃えて綺麗に積層させることができる。
【００３７】
また、スタッカ１は、段ボールシートＳ，Ｓ・・の搬送方向に沿って往復動することによって、載置台１１上に載置された複数の段ボールシートＳ，Ｓ・・の前方および後方の端縁を外側から押圧可能な前後方向押圧部材７，７および堰き止めプレート６が設けられているため、次々と連続的に積載される段ボールシートＳ，Ｓ・・の縦方向のズレを前後方向押圧部材７，７および堰き止めプレート６が修正することによって、高い搬送速度を保ったままで、段ボールシートＳ，Ｓ・・の前後方向の端縁の位置を揃えて一段と綺麗に積層させることができる。
【００３８】
また、スタッカ１は、段ボールシートＳ，Ｓ・・の搬送方向の上流側に横方向押圧部材５ａ，５ｂが設けられており、段ボールシートＳ，Ｓ・・の搬送方向の下流側に横方向押圧部材１５ａ，１５ｂが設けられているため、積層される段ボールシートの横方向（幅方向）のズレを効率的に揃えることができる。
【００３９】
さらに、スタッカ１は、前後方向押圧部材７，７、堰き止めプレート６および横方向押圧部材５ａ，５ｂ、横方向押圧部材１５ａ，１５ｂが、垂下状に設けられている（すなわち、レール状基軸４ａ，４ｂに垂下状に設けられた前方支持体３ａ，３ｂおよび後方支持体２ａ，２ｂに設置されている）ため、設計上、それらの前後方向押圧部材７，７、堰き止めプレート６および横方向押圧部材５ａ，５ｂ、横方向押圧部材１５ａ，１５ｂの先端（下端）を載置台１１の表面に近づけやすいので、段ボールシートＳ，Ｓ・・を積み始める際（所定数の段ボールシートＳ，Ｓ・・を搬出した後に新たに積み始める場合を含む）のズレを効率的に揃えることが可能である。
【００４０】
加えて、スタッカ１は、前後方向押圧部材７，７の往復動のタイミングと、横方向押圧部材５ａ，５ｂおよび横方向押圧部材１５ａ，１５ｂの往復動のタイミングとが異なっており、積層される段ボールシートＳ，Ｓ・・の前後方向の位置ズレと横方向の位置ズレとを別々に揃えるものであるため、個々の段ボールシートＳ，Ｓ・・の重量が大きい場合でも、前後左右の端縁のズレを少ない消費電力により効率的に揃えることができる。
【００４１】
また、スタッカ１は、前後方向押圧部材７，７および横方向押圧部材５ａ，５ｂ、横方向押圧部材１５ａ，１５ｂの底面が合成樹脂によって形成されているため、段ボールシートＳ，Ｓ・・を積み始める際（所定数の段ボールシートＳ，Ｓ・・を搬出した後に新たに積み始める場合を含む）に、前後方向押圧部材７，７および横方向押圧部材５ａ，５ｂ、横方向押圧部材１５ａ，１５ｂの底面が載置台１１の表面（コンベア３０の表面）に接触した場合でも、当該載置台１１の表面が損傷しにくい。
【００４２】
＜段ボールシート用スタッカの変更例＞
本発明に係る段ボールシート用スタッカの構成は、上記した各実施形態の態様に何ら限定されるものではなく、載置台、昇降機構、前後方向押圧部材、横方向押圧部材等の形状・構造・材質等の構成を、本発明の趣旨を逸脱しない範囲で、必要に応じて適宜変更することができる。
【００４３】
たとえば、前後方向押圧部材および／または横方向押圧部材は、上記実施形態の如く、押圧体の全体が合成樹脂によって形成されたものに限定されず、底面のみが合成樹脂で形成されたもの（底面以外の部分が金属等によって形成されたもの）でも良い。加えて、押圧体の全体あるいは一部を構成する合成樹脂は、上記実施形態の如く、ナイロン樹脂に限定されず、ポリカーボネート、ポリアセタール、ポリエチレンテレフタレート、ポリ塩化ビニル、ポリプロピレン、アクリル樹脂等の他の合成樹脂に変更することも可能である。また、前後方向押圧部材および／または横方向押圧部材は、上記実施形態の如く、ソレノイドによって押圧体を突出・退入させるものに限定されず、空気圧、油圧やモータによって押圧体を突出・退入させるもの等でも良い。加えて、前後方向押圧部材は、上記実施形態の如く、前側が非可動式であるものに限定されず、前側が可動式であるもの（後側と同様に押圧体を前後動させるもの）に変更することも可能である。
【００４４】
加えて、前後方向押圧部材や横方向押圧部材は、上記実施形態の如く、段ボールのシートの端縁の長さに対して幅狭（段ボールシートの端縁の長さの１／１００〜１／１０）の押圧体を備えたものに限定されず、段ボールシートの端縁の長さに対して幅広なもの（段ボールシートの端縁の長さの１／１０〜段ボールシートの端縁の長さの１．５倍程度）の押圧体を備えたものに変更することも可能である。また、上記実施形態の如く、前後方向押圧部材の一部として前後動しない堰き止めプレートを用いる場合には、当該堰き止めプレートは金属製のものに限定されず、合成樹脂等によって形成されたものでも良い。加えて、そのような堰き止めプレートを用いる場合には、上記実施形態の如く、段ボールシートの端縁の長さに対して幅広なものに限定されず、段ボールのシートの端縁の長さに対して幅狭なものでも良い。
【００４５】
一方、載置台の昇降機構は、上記実施形態の如く、チェーン・スプロケットを利用したものに限定されず、ラック・ピニオンを利用したものやボールネジを利用したもの等に変更することも可能である。
【００４６】
また、スタッカは、上記実施形態の如く、後方側の前後方向押圧部材のみを前後動させる（押圧体を前後動させる）ものに限定されず、前方側にも押圧体を前後動させる前後方向押圧部材が設けられており、それらの前後一組の前後方向押圧部材を同じタイミングで前後動させる（押圧体を同じタイミングで前後動させる）ものに変更することも可能である。
【００４７】
さらに、スタッカは、上記実施形態の如く、前後方向押圧部材の前後動（押圧体の前後動）のタイミングと横方向押圧部材の前後動（押圧体の前後動）のタイミングとが異なっているものに限定されず、同じであるものでも良い。また、上記実施形態の如く、前後方向押圧部材の前後動（押圧体の前後動）のタイミングと横方向押圧部材の前後動（押圧体の前後動）のタイミングとが、前後動の周期（所要時間）の半分（すなわち、半周期分）だけずれているものに限定されず、前後方向押圧部材の前後動のタイミングと横方向押圧部材の前後動のタイミングとが、半周期以外の時間だけずれているものでも良い。
【産業上の利用可能性】
【００４８】
本発明に係るスタッカは、上記の如く優れた効果を奏するものであるので、段ボールシートの製造工程の場面において、段ボールシートを所定の枚数だけ積み重ねて搬出する装置として好適に用いることができる。
【符号の説明】
【００４９】
１・・スタッカ（段ボールシート用スタッカ）
２ａ，２ｂ・・後方支持体
３ａ，３ｂ・・前方支持体
５ａ，５ｂ・・横方向押圧部材
６・・堰き止めプレート（前後方向押圧部材）
７・・前後方向押圧部材
１１・・載置台
１５ａ，１５ｂ・・横方向押圧部材
２４・・押圧体
４２・・押圧体
Ｓ・・段ボールシート
【図１】
2019199312.tif 000003
【図２】
2019199312.tif 000004
【図３】
2019199312.tif 000005
【図４】
2019199312.tif 000006